(57)【要約】【課題】視覚障害者や認知症患者等が事故に遭遇した際などに被監視者を支援する。【解決手段】被監視者の周囲を撮影し続ける撮像部５と、被監視者の周囲の音を録音し続ける録音部６と、被監視者の位置データを取得する位置データ取得部２３と、撮像部から得られた映像データと、録音部から得られた音データとを、位置データ取得部で得られた位置データと関連付けて記憶する記憶部７と、記憶部に記憶されるデータを外部の端末にリアルタイムで送信する送信部８と、所定の大きさ以上の衝撃が加えられた際に被監視者が事故に巻き込まれたことを検知する事故検知部（加速度センサ１４）とを備え、事故検知部が事故を検知すると、記憶部は、事故の前後の映像を事故映像として別途記憶する監視用レコーダ２。【選択図】図３
2019083423.tif 000002
【特許請求の範囲】
【請求項１】
被監視者の周囲を撮影し続ける撮像部と、
前記被監視者の周囲の音を録音し続ける録音部と、
前記被監視者の位置データを取得する位置データ取得部と、
前記撮像部から得られた映像データと、前記録音部から得られた音データとを、前記位置データ取得部で得られた位置データと関連付けて記憶する記憶部と、
前記記憶部に記憶されるデータを外部の端末にリアルタイムで送信する送信部と、
所定の大きさ以上の衝撃が加えられた際に前記被監視者が事故に巻き込まれたことを検知する事故検知部とを備え、
該事故検知部が事故を検知すると、前記記憶部は、前記事故の前後の映像を事故映像として別途記憶することを特徴とする監視用レコーダ。
【請求項２】
外部の端末と電話通信を行う電話通信部を備えることを特徴とする請求項１に記載の監視用レコーダ。
【請求項３】
前記撮像部が撮影した映像データに含まれる所定の対象物を識別する映像識別部と、
該映像識別部が前記所定の対象物を識別すると、前記被監視者に報知する報知部とを備えることを特徴とする請求項１又は２に記載の監視用レコーダ。
【請求項４】
前記記憶部は、地図情報と、被監視者の歩行可能範囲情報と、歩行禁止範囲情報とを記憶し、
前記位置データ取得部を介して該監視用レコーダが前記歩行禁止範囲内に侵入すると、前記報知部は外部の端末に報知することを特徴とする請求項１、２又は３に記載の監視用レコーダ。
【請求項５】
上記請求項１乃至４のいずれかに記載の監視用レコーダと、該監視用レコーダと通信可能な監視者用端末とで構成される監視システムであって、
前記監視者用端末は、
前記監視用レコーダの前記送信部からリアルタイムでデータを受信する受信部と、
該受信部で受信したデータを表示する表示部と、
前記監視用レコーダと電話通信を行う電話通信部とを備えることを特徴とする監視システム。
【発明の詳細な説明】
【技術分野】
【０００１】
本発明は、視覚障害者や認知症患者等の被監視者を監視する監視用レコーダと、この監視用レコーダを備える監視システムに関する。
【背景技術】
【０００２】
視覚障害者や認知症患者は、周囲の状況を正確に把握することが困難であるため、外出先で様々な事故に見舞われる可能性がある。そこで、特許文献１には、視覚障害者用のナビゲーション装置であって、カメラを介して前方の段差等を検知し、ユーザに知らせる機能を備えるものが記載されている。
【０００３】
また、特許文献２には、痴呆症高齢者等の徘徊履歴を記録し、この徘徊履歴を日時のみならず場所や気象情報に関連して検索可能にすることで、介護者が徘徊者の位置を特定し易くする技術が記載されている。
【０００４】
さらに、特許文献３には、子供や老人等の行動を監視する携帯型行動監視装置であって、監視対象者の移動軌跡を記憶することで、監視対象者の行動パターンを把握し易くしたものが記載されている。
【先行技術文献】
【特許文献】
【０００５】
【特許文献１】特開２０１７−１５４８５号公報
【特許文献２】特開２００２−３９７８１号公報
【特許文献３】特開２００７−２７９８３７号公報
【発明の概要】
【発明が解決しようとする課題】
【０００６】
上記特許文献１乃至３に記載の発明によれば、視覚障害者や認知症患者等の被監視者の歩行を支援したり、被監視者の現在地や行動パターンなどを容易に特定することができるが、被監視者が実際に事故に遭遇した際に被監視者を支援する技術は存在せず、このような技術が望まれていた。
【０００７】
そこで、本発明は、視覚障害者や認知症患者等の被監視者が実際に事故に遭遇した際に被監視者を支援することが可能な監視用レコーダ及び監視システムを提供することを目的とする。
【課題を解決するための手段】
【０００８】
上記目的を達成するため、本発明は、監視用レコーダであって、被監視者の周囲を撮影し続ける撮像部と、前記被監視者の周囲の音を録音し続ける録音部と、前記被監視者の位置データを取得する位置データ取得部と、前記撮像部から得られた映像データと、前記録音部から得られた音データとを、前記位置データ取得部で得られた位置データと関連付けて記憶する記憶部と、前記記憶部に記憶されるデータを外部の端末にリアルタイムで送信する送信部と、所定の大きさ以上の衝撃が加えられた際に前記被監視者が事故に巻き込まれたことを検知する事故検知部とを備え、該事故検知部が事故を検知すると、前記記憶部は、前記事故の前後の映像を事故映像として別途記憶することを特徴とする。
【０００９】
本発明によれば、記憶部に記憶されるデータを外部の端末にリアルタイムで送信するため、外部の端末の所有者が迅速に事故等に対応することができる。また、事故の前後の映像を事故映像として別途記憶するため、事故の内容を把握し易い。
【００１０】
上記監視用レコーダにおいて、外部の端末と電話通信を行う電話通信部を設けることができる。これにより、外部の端末の所有者が被監視者の様子を聞いたり、被監視者に指示等を行うことができる。
【００１１】
上記監視用レコーダにおいて、前記撮像部が撮影した映像データに含まれる所定の対象物を識別する映像識別部と、該映像識別部が前記所定の対象物を識別すると、前記被監視者に報知する報知部とを備えることができる。これにより、例えば、被監視者が視覚障害者である場合に、視覚障害者誘導用ブロック（点字ブロック）の位置等を報知して視覚障害者の歩行を支援することができる。
【００１２】
前記記憶部は、地図情報と、被監視者の歩行可能範囲情報と、歩行禁止範囲情報とを記憶し、前記位置データ取得部を介して該監視用レコーダが前記歩行禁止範囲内に侵入すると、前記報知部は外部の端末に報知することができる。これにより、例えば、被監視者が認知症患者である場合に、外部の端末の所有者が認知症患者が徘徊していることを把握することができる。
【００１３】
また、本発明は、上記監視用レコーダと、該監視用レコーダと通信可能な監視者用端末とで構成される監視システムであって、前記監視者用端末は、前記監視用レコーダの前記送信部からリアルタイムでデータを受信する受信部と、該受信部で受信したデータを表示する表示部と、前記監視用レコーダと電話通信を行う電話通信部とを備えることを特徴とする。
【００１４】
本発明によれば、記憶部に記憶されるデータを監視者用端末にリアルタイムで送信し、監視者用端末でリアルタイムでデータを受信するため、監視者が迅速に被監視者の事故等に対応することができる。また、事故の前後の映像を事故映像として別途記憶するため、事故の内容を把握し易い。さらに、監視用レコーダが電話通信部を備える場合、被監視者が事故に遭遇した際に、監視者が被監視者の様子を聞いたり、被監視者に指示等を行うことができる。
【発明の効果】
【００１５】
以上説明したように、本発明によれば、視覚障害者や認知症患者等の被監視者が実際に事故に遭遇した際に被監視者を支援することができる。
【図面の簡単な説明】
【００１６】
【図１】本発明に係る監視システムの一実施の形態を示す全体構成図である。
【図２】図１に示す監視用レコーダの使用状態を示す概略図である。
【図３】図１に示す監視用レコーダの構成の一例を示すブロック図である。
【図４】図１に示す監視者用端末を示すブロック図である。
【図５】図３に示す監視用レコーダにおける処理の流れを示すフローチャートである。
【図６】図４に示す監視者用端末における処理の流れを示すフローチャートである。
【発明を実施するための形態】
【００１７】
次に、本発明を実施するための形態について、図面を参照しながら詳細に説明する。
【００１８】
図１は、本発明に係る監視システムの一実施の形態を示し、この監視システム１は、インターネット等のネットワーク４を介して接続される監視用レコーダ２と、監視者用端末３とで構成される。
【００１９】
監視用レコーダ２は、図２に示すように、後述する撮像部５や録音部６が露出するように、視覚障害者や認知症患者等の被監視者の衣類等に取り付けられ、被監視者に常に携帯される。このようにして、撮像部５によって被監視者の周囲を撮影し続けると共に、録音部６を介して前記被監視者の周囲の音を録音し続けることにより、映像データと音データを取得する。
【００２０】
また、監視用レコーダ２は、映像データ及び音データを取得した際の日時及び位置データを取得すると共に、取得した位置データを繋ぎ合わせて移動経路データを生成する。そして、取得した映像データ及び音データと位置データとを関連付け、ネットワーク４を介してリアルタイムで監視者用端末３に転送する。移動経路データの転送については後述する。
【００２１】
監視者用端末３は、例えば被監視者の家族が所有する端末であり、受信した映像データ及び音データを、関連付けられた位置データと共に閲覧可能に構成される。
【００２２】
図３に示すように、監視用レコーダ２は、大別して、撮像部５と、録音部６と、記憶部７と、送信部８と、表示部９と、操作部１０と、ＧＰＳ（Global Positioning System）アンテナ１１と、ＧＰＳ受信部１２と、時計１３と、加速度センサ（事故検知部）１４と、電話通信部１５と、制御部２０とで構成される。加速度センサ１４に代えて、又は加速度センサ１４と共に、監視用レコーダ２に印加される角速度を検出するジャイロセンサ、周囲の異常音を検出する音センサ等を設けてもよい。
【００２３】
撮像部５は、例えばビデオカメラであり、被監視者の周囲を撮影し、映像データとして出力する。また、録音部６は、例えばマイクロフォンであり、被監視者の周囲の音を録音し、音データとして出力する。
【００２４】
記憶部７は、例えば１２８ＧＢの容量を有するＳＤカードであり、地図データを有すると共に、撮像部５から出力された映像データ及び録音部６から出力された音データが記憶される。尚、以下では、映像データ及び音データを総称して、ＡＶ（Audio/Video）データと略称する。
【００２５】
送信部８は、ＳＩＭ（Subscriber Identity Module）カード型の通信回線を介して監視者用端末３との無線通信を行い、後述の制御部２０による制御に基づき、記憶部７に記憶されたＡＶデータなどをネットワーク４を介して監視者用端末３に送信する。
【００２６】
表示部９は、例えばＬＣＤ（Liquid Crystal Display）からなり、メニュー画面等を表示する。尚、表示部９として、タッチパネルディスプレイを用いることができる。
【００２７】
操作部１０は、この監視用レコーダ２を被監視者が操作するための操作子が設けられ、操作子に対する操作に応じた制御信号を出力する。操作子としては、例えば、監視用レコーダ２の電源をＯＮ／ＯＦＦするための電源キーや、撮影や録音を開始／終了するためのキー等が設けられる。これらの各種キーは、例えば、監視用レコーダ２の筐体にハードウェアキーとして設けるようにしてもよいし、表示部９がタッチパネルディスプレイの場合には、各種キーがソフトウェアキーとして表示部９に表示されるようにしてもよい。
【００２８】
ＧＰＳ受信部１２は、ＧＰＳ衛星からのＧＰＳ信号をＧＰＳアンテナ１１を介して受信する。時計１３は、例えば、水晶振動子の発振周波数に基づき、監視用レコーダ２の現在の時刻データを生成することができる。
【００２９】
加速度センサ１４は、自動車等との衝突等による急激な加速度の増加を検知し、この加速度の増加を検知した際に被監視者が事故に遭遇したと判断する。
【００３０】
制御部２０は、この監視用レコーダ２の全体を制御し、入力制御部２１と、表示制御部２２と、位置データ取得部２３と、撮影・録音制御部２４と、記憶制御部２５と、データ取得部２６と、通信制御部２７とを有する。
【００３１】
入力制御部２１は、操作部１０から供給される被監視者の操作に応じた制御信号に基づき入力内容や選択内容を判別し、操作信号を出力する。表示制御部２２は、表示部９への画像表示を制御する。例えば、表示制御部２２は、操作部１０に対する被監視者の操作に応じて表示部９の表示画面を切り替える処理等を行う。
【００３２】
位置データ取得部２３は、ＧＰＳ受信部１２で受信したＧＰＳ信号に基づき、被監視者の位置（緯度、経度）を示す位置データを取得し、この位置データを繋ぎ合わせることにより被監視者の移動経路を取得する。
【００３３】
撮影・録音制御部２４は、撮像部５及び録音部６による撮影及び録音の開始／終了を制御する。撮影・録音制御部２４は、例えば、監視用レコーダ２の電源ＯＮや、撮影及び録音を開始するためのキーが押下された場合等に撮影及び録音を開始し、監視用レコーダ２の電源ＯＦＦや、撮影及び録音を終了するためのキーが押下された場合等に撮影及び録音を終了する。
【００３４】
記憶制御部２５は、撮影及び録音により得られたＡＶデータの記憶部７に対する記憶を制御する。データ取得部２６は、ＡＶデータを撮影及び録音した際の状況が判断できるデータを取得し、このデータをＡＶデータに関連付ける処理を行う。通信制御部２７は、記憶部７に記憶されたＡＶデータを送信部８に供給し、送信部８における通信制御を行うと共に、電話通信部１５における通信制御も行う。
【００３５】
ここで、ＡＶデータに関連付けられるデータについて説明する。ＡＶデータに関連付けられるデータは、撮影及び録音した際の状況が判断できるデータであり、具体的には、例えば、日時データ、位置データ及び移動経路データである。
【００３６】
日時データは、ＡＶデータを撮影及び録音した日時を示すデータであり、時計１３から出力された時刻データにより取得することができる。位置データは、被監視者の位置を示すデータであり、移動経路データは、位置データを結び付けることによって生成され、被監視者の移動経路を示すデータである。
【００３７】
図４に示すように、監視者用端末３は、大別して、受信部３１と、表示部３２と、記憶部３３と、操作部３４と、時計３５と、電話通信部３６と、制御部３７とで構成される。この監視者用端末３としては、例えばＰＣやスマートフォン、タブレット端末を用いることができる。
【００３８】
受信部３１は、ＳＩＭカード型の通信回線を介して監視用レコーダ２との無線通信を行い、ネットワーク４を介して監視用レコーダ２からＡＶデータと、ＡＶデータに関連付けられたデータを受信する。
【００３９】
表示部３２は、監視用レコーダ２から受信部３１を介して取得したＡＶデータを表示するためのものであって、例えばＬＣＤからなり、メニュー画面等も表示する。また、表示部９と同様、タッチパネルディスプレイを用いることもできる。
【００４０】
記憶部３３は、例えばＨＤＤやフラッシュメモリであり、監視用レコーダ２から送信されたＡＶデータと、ＡＶデータに関連付けられたデータを記憶する。
【００４１】
操作部３４は、この監視者用端末３をユーザが操作するための操作子が設けられ、操作子に対する操作に応じた制御信号を出力する。操作子としては、ＡＶデータの再生や停止を行うためのキー等が筐体にハードウェアキーとして設けるようにしてもよいし、表示部３２がタッチパネルディスプレイの場合には、各種キーがソフトウェアキーとして表示部３２に表示されるようにしてもよい。また、操作部３４として、赤外線通信や無線通信を利用したリモートコントローラや、マウス、キーボード等を用いることもできる。
【００４２】
時計３５は、例えば、水晶振動子の発振周波数に基づき、監視者用端末３の現在の時刻データを生成することができる。時計３５は、バッテリー（不図示）により常時駆動されている。
【００４３】
制御部３７は、この監視者用端末３の全体を制御し、通信制御部４１と、記憶制御部４２と、再生制御部４３とを有する。
【００４４】
通信制御部４１は、受信部３１における通信制御を行い、受信部３１で受信したＡＶデータを受け取ると共に、電話通信部３６における電話通信制御を行う。
【００４５】
記憶制御部４２は、受信したＡＶデータを記憶部３３に記憶させる制御を行う。記憶部３３に記憶されるＡＶデータに関連付けられたデータ（日時データ、位置データ、移動経路データ）に基づきＡＶデータを分類して記憶してもよい。また、記憶部３３に記憶されてから３〜６ヶ月経過したデータを自動的に消去するように制御してもよい。
【００４６】
再生制御部４３は、記憶部３３に記憶されたＡＶデータの再生を制御する。再生制御部４３は、ＡＶデータを読み出し表示部３２に出力する。
【００４７】
次に、上記構成を有する監視システム１の動作について説明する。
【００４８】
まず、監視用レコーダ２の動作について、図３及び図５を参照しながら説明する。尚、特別な記載がない限り、以下の処理は、制御部２０の制御の下で行われるものとする。
【００４９】
ステップＳ１において、監視用レコーダ２の電源ＯＮ、又は撮影や録音を開始するためのキーの押下を検出したか否かが判断される。監視用レコーダ２の電源ＯＮ、又は撮影及び録音を開始するためのキーの押下が検出された場合には（ステップＳ１；Ｙｅｓ）、処理がステップＳ２に移行する。一方、監視用レコーダ２の電源ＯＮ、又は撮影及び録音を開始するためのキーの押下が検出されなかった場合には（ステップＳ１；Ｎｏ）、処理がステップＳ１に戻る。
【００５０】
監視用レコーダ２の電源がＯＮになり、撮影及び録音が開始されると（ステップＳ２）、制御部２０は、時計１３からの時刻データに基づき、撮影及び録音を開始した日時を示す日時データを取得すると共に（ステップＳ３）、ＧＰＳ受信部１２からのＧＰＳ信号に基づき位置データを取得する（ステップＳ４）。尚、位置データの取得は、撮影や録音を行っている間継続的に行われる。
【００５１】
そして、得られたＡＶデータ、日時データ及び位置データを、監視者用端末３に送信する（ステップＳ５）。尚、ステップＳ３〜Ｓ５は、略々同時に行われるため、監視用レコーダ２で得られた各種データを監視者用端末３でリアルタイムで確認することができる。
【００５２】
ステップＳ６では、加速度センサ１４によって監視用レコーダ２を携帯する被監視者が事故に遭遇したか否かが判断される。加速度センサ１４が被監視者が事故に遭遇したと判断した場合には（ステップＳ６；Ｙｅｓ）、事故を報知する警報と共に、例えば、事故１５秒前から事故５秒後までのＡＶデータ、日時データ及び位置データを関連付けた事故データとして監視者用端末３に送信する（ステップＳ７）。
【００５３】
一方、加速度センサ１４が被監視者が事故に遭遇していないと判断した場合には（ステップＳ６；Ｎｏ）、ステップＳ３へと戻る。すなわち、被監視者が事故に遭遇しない限り、監視用レコーダ２は、ステップＳ３〜Ｓ５を繰り返し行う。
【００５４】
ステップＳ８では、監視用レコーダ２の電源ＯＦＦ、又は撮影や録音を終了するためのキーの押下を検出したか否かを判断する。監視用レコーダ２の電源ＯＦＦ、又は撮影や録音を終了するためのキーの押下が検出された場合には（ステップＳ８；Ｙｅｓ）、処理がステップＳ９に移行し、撮像部５及び録音部６による撮影及び録音が終了する。一方、監視用レコーダ２の電源ＯＦＦ、又は撮影や録音を終了するためのキーの押下が検出されなかった場合には（ステップＳ８；Ｎｏ）、被監視者が事故に遭遇しない限り、ステップＳ３〜Ｓ５を繰り返し行う。
【００５５】
撮影及び録音が終了すると、取得した位置データを繋ぎ合わせて移動経路データを生成し、既にリアルタイムで送信したＡＶデータ等と関連付けることが可能なように、監視者用端末３に送信される（ステップＳ１０）。そして、処理がステップＳ１に戻り、ステップＳ１からステップＳ１２までの処理が巡回的に繰り返し行われる。
【００５６】
次に、監視者用端末３の動作について、図４及び図６を参照しながら説明する。尚、特別な記載がない限り、以下の処理は、制御部３７の制御の下で行われるものとする。
【００５７】
ネットワーク４を介して監視用レコーダ２からＡＶデータ等をリアルタイムで受信すると（ステップＳ２１）、受信したＡＶデータを記憶部３３に記憶し（ステップＳ２２）、ＡＶデータをリアルタイムで再生する（ステップＳ２３）。
【００５８】
ステップＳ２４において、監視用レコーダ２から事故データを受信すると（ステップＳ２４；Ｙｅｓ）、事故データを記憶する共に（ステップＳ２５）、監視用レコーダ２との電話通信を開始する（ステップＳ２６）。一方、監視用レコーダ２から事故データが送信されない場合（ステップＳ２４；Ｎｏ）にはステップＳ２１へと戻る。
【００５９】
ステップＳ２７において、監視用レコーダ２から移動経路データを受信すると（ステップＳ２７；Ｙｅｓ）、監視用レコーダ２の撮影等が終了したと判断し、リアルタイムで受信していたＡＶデータ等と関連付けて記憶した後（ステップＳ２８）、動作を終了する。
【００６０】
一方、監視用レコーダ２から移動経路データを含む各種データを受信しない場合（ステップＳ２７；Ｎｏ）、監視者用端末３は、事故データ及び移動経路データを受信しない限り、ステップＳ２１〜Ｓ２３を繰り返す。
【００６１】
以上のように、本実施の形態によれば、被監視者が自動車、自転車又は歩行者と接触事故を起こしたような場合でも、被監視者の事故映像を記憶するだけでなく、被監視者が実際に事故に遭遇した際に、監視者が被監視者の様子を聞いたり、被監視者に指示等を行うことができ、被監視者を支援することが可能となる。
【００６２】
また、本実施の形態によれば、ＳＩＭカード型の通信回線を介して監視用レコーダ２と監視者用端末３が通信を行うため、国内のみならず国外においても実施可能である。
【００６３】
さらに、被監視者が認知症患者等で、徘徊により行方不明になってしまった場合でも、監視者用端末３において、監視用レコーダ２の現在地や、映像を確認することができるため、監視者用端末３を所持する認知症患者の家族等が最寄りの警察等に連絡することなどが可能になり、迅速に対応することができる。
【００６４】
また、１２８ＧＢの容量を有するＳＤカードを用いることで、連続２４時間、最長３ヶ月の録画が可能になる。また、ＳＤカードに記憶した画像を例えば３日間分毎にＰＣ等に自動的に転送し、事故の有無に拘わらずＰＣ等で被監視者を監視することもできる。
【００６５】
尚、上記実施の形態においては、監視用レコーダ２として専用の装置を用いることを想定しているが、例えば、携帯電話端末に付属品を取り付けて被監視者の衣類等からの脱落を防止し、上記機能を備えるようにすれば、携帯電話端末を用いることも可能である。
【００６６】
また、上記監視用レコーダ２の記憶部７に視覚障害者誘導用ブロック（点字ブロック）、横断歩道、車道と歩道の境のグリーンの線等の所定の対象物を記憶しておき、撮像部５が撮影した画像データに所定の対象物が映っている場合にそれを認識する映像識別部と、この映像識別部が所定の対象物を識別すると、被監視者にその旨を報知する報知部とを設けてもよい。これによって、視覚障害者等の歩行の際の安全性を高めることができる。また、この報知部や、位置データ、地図情報に基づき、被監視者に目的地までの移動経路を案内するように構成することもできる。
【００６７】
さらに、上記監視用レコーダ２において、記憶部７に歩行可能エリアと、歩行禁止エリアに関する情報を記憶しておき、監視用レコーダ２が歩行禁止エリアに侵入した場合に報知部を介して被監視者や監視者に報知するように構成してもよい。これによって、被監視者の安全を確保することができる。
【００６８】
また、上記監視用レコーダ２に、ナビゲーション機能を設け、被監視者の過去の行き先を１０件程度記憶しておき、この過去の行き先を目的地として呼び出し可能にし、被監視者の歩行を援助してもよい。
【００６９】
また、監視用レコーダ２に温度計や心拍数の測定機能を追加し、被監視者の体温や心拍数が所定の値よりも上昇した場合に、監視者用端末３に自動的に情報を送り、監視者用端末３に自動的に表示することで、被監視者の体調等を監視者が常に把握することができる。
【符号の説明】
【００７０】
１  監視システム
２  監視用レコーダ
３  監視者用端末
４  ネットワーク
５  撮像部
６  録音部
７  記憶部
８  送信部
９  表示部
１０  操作部
１１  ＧＰＳアンテナ
１２  ＧＰＳ受信部
１３  時計
１４  加速度センサ
１５  電話通信部
２０  制御部
２１  入力制御部
２２  表示制御部
２３  位置データ取得部
２４  撮影・録音制御部
２５  記憶制御部
２６  データ取得部
２７  通信制御部
３１  受信部
３２  表示部
３３  記憶部
３４  操作部
３５  時計
３６  電話通信部
３７  制御部
４１  通信制御部
４２  記憶制御部
４３  再生制御部
【図１】
2019083423.tif 000003
【図２】
2019083423.tif 000004
【図３】
2019083423.tif 000005
【図４】
2019083423.tif 000006
【図５】
2019083423.tif 000007
【図６】
2019083423.tif 000008